(57)【要約】【課題】携帯端末を用いて、車両に搭載された複数の無線タグの識別番号を読み取り、読み取った順を電子鍵認証として使用する際、毎回異なる無線タグの読み取り順を生成することができる携帯端末および電子鍵装置を提供することを目的とするものである。【解決手段】携帯端末および電子鍵装置は、近距離無線通信を搭載する携帯端末で、車両に搭載された複数の無線タグを任意の順番でタッチする。無線タグの識別番号が取得された順番を電子鍵装置に登録された順番と照合し、整合性があえば、車両のエンジンを起動する。１度認証された場合、電子鍵装置は、次回の無線タグのタッチ順を新たに生成し、該携帯端末に新たに生成された無線タグのタッチ順を送信する。【選択図】図１
2014136910.tif 000002
【特許請求の範囲】
【請求項１】
携帯端末と近距離無線通信を確立する第１近距離無線通信部と、
前記携帯端末を無線タグにタッチする順を示す無線タグ認証用リストを保存する第１タッチ順保存部と、
前記第１近距離無線通信部を介して携帯端末から受信した無線タグタッチ順リストと、前記第１タッチ順保存部に保存された前記無線タグ認証用リストとを照合する第１制御部と、
車両のエンジンを始動させる車両通知部とを備え、
前記第１制御部は、受信した前記無線タグタッチ順リストと前記無線タグ認証用リストが一致した場合、車両通知部に車両のエンジンを始動させる命令を出力し、次回の認証用に新たな前記無線タグ認証用リストを毎回ランダムに生成し、新たに生成した前記無線タグ認証用リストを前記第１タッチ順保存部に保存し、前記第１近距離無線通信部を介して、携帯端末に無線タグのタッチ順の照合結果と、新たに生成した前記無線タグ認証用リストとを通知する電子鍵装置。
【請求項２】
前記第１制御部は、無線タグ認証用リストによる認証を解除する機能を備える請求項１記載の電子鍵装置。
【請求項３】
前記無線タグ認証用リストによる認証を解除するためのパスワードを入力するパスワード入力部とを備える請求項１または請求項２記載の電子鍵装置。
【請求項４】
前記第１制御部は、近距離無線通信を介して、認証結果を出力する請求項１から３記載の電子鍵装置。
【請求項５】
近距離無線通信を確立する第２近距離無線通信部と、
前記第２近距離無線通信部を介して送受信するデータを制御する第２近距離無線通信制御部と、
前記第２近距離無線通信部が読み取った無線タグの順序を示す無線タグタッチ順リストを生成する第２制御部と、
前記無線タグタッチ順リストを保存する第２保存部とを備え、
前記第２制御部は、電子鍵装置との通信が確立されたことを検出すると、第２保存部に保存された前記無線タグタッチ順リストを前記第２近距離無線通信部を介して前記電子鍵装置に送信する携帯端末。
【請求項６】
前記第２近距離無線通信部を介して、前記電子鍵装置から受信した認証結果を表示する表示部と、音声出力部とを備える請求項２記載の携帯端末。
【発明の詳細な説明】
【技術分野】
【０００１】
本発明は、携帯端末装置を鍵として、車両の施錠または開錠を電子的に行うシステム、及び携帯端末および電子鍵装置に関するものである。
【背景技術】
【０００２】
従来の携帯端末および電子鍵装置として、二輪車あるいは自動車において、携帯端末が、１台の車両を構成する各部品に取り付けられてた無線タグの識別番号を読み取り、読み取られた複数の識別番号を組み合わせて構成される一つの識別情報に対して暗号化を施し、電子鍵装置が、携帯端末から送信される暗号化情報を受信して復号化された識別情報を記憶し、この記憶された識別情報と復号化後に一致する暗号化情報を携帯端末から受信したときに、電子鍵の施錠または開錠に利用できるようになっているものが知られている（例えば特許文献１参照）。
【先行技術文献】
【特許文献】
【０００３】
【特許文献１】特開２００７−２３１６５４号公報
【発明の概要】
【発明が解決しようとする課題】
【０００４】
しかしながら、特許文献１記載の従来の携帯端末および電子鍵装置においては、１台の車両を構成する各部品に取り付けられてた無線タグの識別番号を読み取り、電子鍵装置が、携帯端末から送信される情報を受信して、電子鍵の施錠または開錠に利用する。この電子鍵の施錠または開錠の利用は、周辺者が無線タグの識別番号を読み取る操作を見ていれば、電子鍵の利用方法を容易に理解することができ、暗号化情報を有する携帯端末を盗難された場合に安全性を確保できないという問題があった。
【０００５】
本発明は、従来の問題を解決するためになされたもので、次回の無線タグのタッチ順を新たに生成することにより、周辺者に無線タグのタッチ順を見られても、次回の無線タグのタッチ順は第３者には不明なため、安全性を確保した携帯端末および電子鍵装置を提供することを目的とする。
【課題を解決するための手段】
【０００６】
上記目的を達成するために本発明は、携帯端末と近距離無線通信を確立する第１近距離無線通信部と、前記携帯端末を無線タグにタッチする順を示す無線タグ認証用リストを保存する第１タッチ順保存部と、前記第１近距離無線通信部を介して携帯端末から受信した無線タグタッチ順リストと、前記第１タッチ順保存部に保存された前記無線タグ認証用リストとを照合する第１制御部と、  車両のエンジンを始動させる車両通知部とを備え、前記第１制御部は、受信した前記無線タグタッチ順リストと前記無線タグ認証用リストが一致した場合、車両通知部に車両のエンジンを始動させる命令を出力し、次回の認証用に新たな前記無線タグ認証用リストを毎回ランダムに生成し、新たに生成した前記無線タグ認証用リストを前記第１タッチ順保存部に保存し、前記第１近距離無線通信部を介して、携帯端末に無線タグのタッチ順の照合結果と、新たに生成した前記無線タグ認証用リストとを通知する電子鍵装置という構成を有する。
【発明の効果】
【０００７】
本発明によれば、次回の無線タグ認証用リストを新たに生成することにより、周辺者に無線タグのタッチ順を見られた場合でも、次回の無線タグのタッチ順は第３者には不明な
ため、安全性を確保した電子鍵装置を提供できる。
【図面の簡単な説明】
【０００８】
【図１】本発明の実施の形態１における携帯端末および電子鍵装置のブロック図
【図２】本発明の実施の形態１における車両に搭載される無線タグの一例を示す図
【図３】本発明の実施の形態１におけるリストの一例を示す図であって、（ａ）は無線タグ認証用リスト１００の一例を示す図、（ｂ）は無線タグタッチ順リスト２００の一例を示す図
【図４】本発明の実施の形態１における初回起動時の動作説明のためのフロー図
【図５】本発明の実施の形態１における携帯端末２０における無線タグの読み取り時の動作説明のためのフロー図
【図６】本発明の実施の形態１における通常時の携帯端末および電子鍵装置の動作説明のためのフロー図
【発明を実施するための形態】
【０００９】
（実施の形態１）
以下、本発明の実施の形態１における携帯端末および電子鍵装置について図面を参照しながら説明する。
【００１０】
図１は、本発明の実施の形態１における携帯端末および電子鍵装置のブロック図である。図１は、本発明と関係のある機能ブロックのみ図示した。よって、携帯端末や電子鍵装置が従来から有する機能ブロックの図示は省略した。
【００１１】
図１において、携帯端末および電子鍵装置は、電子鍵装置１０と、近距離無線通信機能を搭載する携帯端末２０とからなるものである。
【００１２】
本発明の一実施形態における近距離無線通信とは、携帯端末２０と電子鍵装置１０との間で、無線タグ（無線ＩＣタグ、ＩＣタグとも呼ばれる）による通信（ＮＦＣやＦｅｌｉｃａなど）、無線通信、赤外線通信のいずれかの通信を用いて行われる。近距離無線通信として、たとえば無線タグを用いる場合には、該無線タグを、電子鍵装置１０が装備される車両内や、各装置付近や各装置内に設けておけばよい。
【００１３】
無線タグは、情報（データ）が記憶されたメモリと、その情報を通信するための回路及びアンテナ等が埋め込まれたタグである。
【００１４】
図１の電子鍵装置１０は、車両に専用の電子鍵装置を搭載されるものであってもよいが、例えば、ナビゲーション装置、オーディオ装置、ＡＶＮ装置等において実現することも可能である。
【００１５】
図１の電子鍵装置１０は、近距離無線通信を確立する第１近距離無線通信部１１と、新たに生成された無線タグ認証用リスト１００を保存する第１タッチ順保存部１２と、無線タグのタッチ順の認証結果から車両のエンジンを始動する車両通知部１４と、携帯端末登録や認証解除用のパスワード入力部１５と、認証結果を表示する第１表示部１６と、上記記載の電子鍵装置１０の各部を制御する第１制御部１３とからなるものである。
【００１６】
第１近距離無線通信部１１は、近距離無線通信を確立し、携帯端末２０の第２近距離無線通信部２１から、無線タグタッチ順リスト２００を受信する。また、無線タグのタッチ順の認証結果と、後述する新たに生成された無線タグ認証用リスト１００を、近距離無線通信を介して携帯端末２０に送信する。
【００１７】
第１タッチ順保存部１２は、データの読み書きが可能な記憶装置であり、新たに生成された無線タグ認証用リスト１００を、次回の認証用に保存する。
第１制御部１３は、ＣＰＵ、ＤＳＰ、ＲＡＭ及びＲＯＭ等で構成される。
【００１８】
携帯端末２０からの第２保存部２３に保存された無線タグタッチ順リスト２００を、第１近距離無線通信部１１を介して受信した場合、受信した無線タグタッチ順リスト２００と、第１タッチ順保存部１２に保存された無線タグ認証用リスト１００とを照合し、無線タグのタッチ順による認証の可否を判定する。認証が可と判定された場合、次回の認証用に、無線タグ認証用リスト１００をランダムに新たに生成する。
【００１９】
車両通知部１４は、無線タグのタッチ順による認証が「可」の場合、車両のエンジンを始動させる。
【００２０】
パスワード入力部１５は、携帯端末登録用や、認証解除用のパスワードの入力する画面を第１表示部１６に表示する。または、入力用のキーボードやハード釦などである。
【００２１】
第１表示部１６は、例えば電子鍵装置１０のＬＣＤにより構成され、無線タグのタッチ順による認証結果や、パスワードの認証結果を表示する。
【００２２】
データベース１７は、車両に搭載される無線タグに関連する情報を記憶する。無線タグの車両内の場所や数は、任意であり、搭載された無線タグの識別番号、機能や位置などの情報は、電子鍵装置１０のに事前に記憶されている。
【００２３】
図１の近距離無線通信機能を搭載する携帯端末２０は、携帯電話、携帯情報端末（ＰＤＡ）、およびスマートフォンのような、携帯可能であり、かつ情報処理機能および通信機能を備えた端末である。当然ながら、音声通話機能を備えたものでもよい。
【００２４】
近距離無線通信機能を搭載する携帯端末２０は、無線タグとの間に近距離無線通信を確立する第２近距離無線通信部２１と、近距離無線通信によるデータを制御する第２近距離無線通信制御部２２と、電子鍵装置１０から受信した無線タグ認証用リスト１００と、第２近距離無線通信部２１が読み取った順の無線タグの無線タグタッチ順リスト２００とを保存する第２保存部２３と、認証結果を表示する第２表示部２５と、認証結果を音および音声で出力する音声出力部２６と、携帯端末２０の各部を制御する第２制御部２４からなるものである。
【００２５】
第２近距離無線通信部２１は、携帯端末２０を無線タグにかざすことで、近距離無線通信を確立し、無線タグの識別番号やデータを送受信する。また、無線タグタッチ順リスト２００や、電子鍵装置１０で生成された無線タグ認証用リスト１００、無線タグのタッチ順による認証結果や、パスワードの認証結果などを電子鍵装置１０に送受信する。
【００２６】
第２近距離無線通信制御部２２は、近距離無線通信の確立や、送受信されるデータを制御する。
【００２７】
第２保存部２３は、データの読み書きが可能な記憶装置であり、車内に複数存在する無線タグを読み取った順に無線タグタッチ順リスト２００として保存する。
【００２８】
また、電子鍵装置１０で新たに生成された無線タグ認証用リスト１００を保存する。
第２制御部２４は、ＣＰＵ、ＤＳＰ、ＲＡＭ及びＲＯＭ等で構成され、携帯端末２０の各部を制御する。なお、第２制御部２４の動作の詳細に関しては後述する。
【００２９】
第２表示部２５は、例えば携帯端末２０のＬＣＤにより構成され、後述する電子鍵装置１０による無線タグのタッチ順による認証結果や、第２保存部２３に保存された無線タグ認証用リスト１００を表示する。
【００３０】
音声出力部２６は、スピーカなどにより構成され、認証結果を音および音声で出力する。
【００３１】
次に、図２は、本発明の実施の形態１における車両に搭載される無線タグの一例を示す図である。無線タグの車両内の場所や数は、任意であり、搭載された無線タグの識別番号、機能や位置などの情報は、電子鍵装置１０のデータベース１７に事前に記憶されている。
【００３２】
また、図３を用いて、本発明の実施の形態１における（ａ）無線タグ認証用リスト１００と、（ｂ）無線タグタッチ順リスト２００について説明する。
【００３３】
図３（ａ）は、無線タグ認証用リスト１００である。電子鍵装置１０のデータベース１７に記憶された車両に搭載された複数の無線タグの識別番号から順列を毎回ランダムに作成したリストであり、認証用の無線タグのタッチ順を示す。
【００３４】
図３（ｂ）は、無線タグタッチ順リスト２００である。車両に搭載された複数の無線タグに携帯端末２０をかざし、第２近距離無線通信部２１が読み取った順序の無線タグの識別番号のリストである。
【００３５】
次に、図４〜６を用いて、以上のように構成された携帯端末および電子鍵装置について、以下にその処理動作を説明する。
【００３６】
図４は、本発明の実施の形態１における初回起動時の携帯端末および電子鍵装置の動作手順を示すフローチャートである。
【００３７】
まず、近距離無線通信を搭載する携帯端末２０をユーザが初めて電子鍵装置１０の第１近距離無線通信部１１にかざした場合（ステップＳ２２１）（ステップＳ２１１、Ｙｅｓ）、パスワード入力部１５は、ユーザに事前通知したパスワードの入力を要求する画面を第１表示部１６に表示する（ステップＳ２１２）。
【００３８】
電子鍵装置１０の第１近距離無線通信部１１が携帯端末２０による近距離無線通信が初めてではない場合（ステップＳ２１１、Ｎｏ）、処理を終了する。
【００３９】
入力されたパスワードが正しい場合（ステップＳ２１３、Ｙｅｓ）、電子鍵装置１０の第１制御部１３は、車両に搭載された複数の無線タグの識別番号を組み合わせて、認証用の無線タグ認証用リスト１００を生成する（ステップＳ２１４）。
【００４０】
続いて、携帯端末２０の識別番号と無線タグ認証用リスト１００を第１タッチ順保存部１２に保存する（ステップＳ２１５）。さらに、第１タッチ順保存部１２に保存された無線タグ認証用リスト１００とパスワードの可否を、第１近距離無線通信部１１から、携帯端末２０に送信する（ステップＳ２１６）。
【００４１】
入力されたパスワードが正しくない場合（ステップＳ２１３、Ｎｏ）、電子鍵装置１０の第１制御部１３は、エラー通知を、第１近距離無線通信部１１から、携帯端末２０に送信する（ステップＳ２１７）。
【００４２】
携帯端末２０の第２近距離無線通信制御部２２は、第２近距離無線通信部２１を介して無線タグ認証用リスト１００をとパスワードの可否を受信する（ステップＳ２２２）。第２制御部２４は、受信した無線タグ認証用リスト１００を第２保存部２３に保存し（ステップＳ２２３）、第２表示部２５に受信結果を表示する。または、音声出力部２６から、受信結果を音声で通知する。
【００４３】
図５は、本発明の実施の形態１における携帯端末２０を用いて無線タグを読み取る際の携帯端末の動作手順を示すフローチャートである。
【００４４】
第２保存部２３に保存された車両内の無線タグ認証用リスト１００に従い、ユーザが携帯端末２０を車両内に複数存在する無線タグに順次かざした際、第２近距離無線通信制御部２２は、第２近距離無線通信部２１を介して、無線タグの識別番号を順次読み取る（ステップＳ３２１、Ｙｅｓ）。第２制御部２４は、無線タグタッチ順リスト２００を第２保存部２３に保存する（ステップＳ３２２）。
【００４５】
ユーザが、携帯端末２０を電子鍵装置１０の第１近距離無線通信部１１にかざすと第２近距離無線通信制御部２２は、近距離無線通信を検出し（ステップＳ３２３、Ｙｅｓ）、第２近距離無線通信部２１は、無線タグタッチ順リスト２００を電子鍵装置１０に送信する（ステップＳ３２４）。
【００４６】
第２制御部２４は、所定時間、無線タグの識別番号の読み取りが無かった場合（ステップＳ３２５、Ｙｅｓ）、処理を終了する。
【００４７】
次に、図６を用いて、本発明の実施の形態１における通常時の携帯端末および電子鍵装置の動作手順を説明する。
【００４８】
携帯端末２０の第２近距離無線通信部２１から、無線タグタッチ順リスト２００を電子鍵装置１０の第１近距離無線通信部１１が受信した場合（ステップＳ４１１）、電子鍵装置１０の第１制御部１３は、受信した無線タグタッチ順リスト２００を第１タッチ順保存部１２に保存された無線タグ認証用リスト１００と照合する（ステップＳ４１２）。
【００４９】
無線タグのタッチ順が一致した場合（ステップＳ４１３、Ｙｅｓ）、認証「可」とし、第１制御部１３は、車両通知部１４を介して、車両のエンジンを始動させる（ステップＳ４１４）。
【００５０】
続いて、第１制御部１３は、次回の認証用の新たな無線タグ認証用リスト１００を毎回ランダムに生成し（ステップＳ４１５）、新たに生成された無線タグ認証用リスト１００を第１タッチ順保存部１２に保存する（ステップＳ４１６）。
【００５１】
さらに、第１近距離無線通信部１１は、第２近距離無線通信部２１を介して、携帯端末２０に無線タグのタッチ順の認証結果と新たに生成された無線タグ認証用リスト１００を通知する（ステップＳ４１７）。
【００５２】
無線タグのタッチ順が一致しなかった場合（ステップＳ４１３、Ｎｏ）、認証「不可」とし、第１近距離無線通信部１１は、第２近距離無線通信部２１を介して、携帯端末２０に認証エラーを通知する（ステップＳ４１８）。
【００５３】
電子鍵装置１０から受信した認証結果が「可」の場合（ステップＳ４２３、Ｙｅｓ）、第２近距離無線通信制御部２２は、第２近距離無線通信部２１を介して、第２保存部２３に新規の無線タグ認証用リスト１００を保存し（ステップＳ４２４）、第２表示部２５に
、認証結果と無線タグ認証用リスト１００の保存結果を表示する。または、音声出力部２６から、送信結果を音声で通知する。
【００５４】
認証結果が「不可」の場合（ステップＳ４２３、Ｎｏ）、第２近距離無線通信制御部２２は、第２近距離無線通信部２１を介して、第２表示部２５に、認証エラーを表示する（ステップＳ４２５）。または、音声出力部２６から、認証エラーを音声で通知する。
【００５５】
最後に、携帯端末２０の紛失などによる、無線タグのタッチ順による認証が行えなくなった場合について説明する。
【００５６】
電子鍵装置１０で生成した認証用の無線タグ認証用リスト１００が携帯端末２０の第２保存部２３に保存された後、携帯端末２０の紛失や故障により無線タグのタッチ順による認証が行えなくなった場合、第１制御部１３は、ユーザが、電子鍵装置１０のＧＵＩや釦などから無線タグのタッチ順による認証を解除できる機能を持たせる。この際、解除用パスワードなどを設定しておくことで、他者による解除操作を防ぐことができる。
【００５７】
以上のように本実施の形態によれば、次回の無線タグ認証用リスト１００を新たに生成することにより、周辺者に無線タグのタッチ順を見られても、次回の無線タグのタッチ順が第３者には不明なため、安全性を確保した電子鍵装置を提供することができる。
【００５８】
なお、本実施の形態において、無線タグのタッチ順による認証は、エンジンの始動に限らず、ドアの開閉や、任意のアプリの起動などに用いてもよい。
【００５９】
また、本実施の形態において、複数の携帯端末を認証用に登録した場合、携帯端末毎に異なる無線タグ認証用リスト１００を保存してもよい。
【００６０】
また、本実施の形態において、ユーザが携帯端末２０に保存された無線タグ認証用リスト１００を確認する場合は、第２保存部２３に保存された無線タグの識別番号の情報に基づいて、第２表示部２５に、無線タグの機能や、車両内の無線タグの位置を示すような表示のしかたでもよく、識別番号の表示に限らない。
【００６１】
また、無線タグのタッチ順を表示する際、パスワードなどを設定しておくことで、他者に無線タグのタッチ順の漏洩を防ぐことができる。
【００６２】
さらに、本実施の形態において、電子鍵装置１０において、無線タグ認証用リスト１００を作成する場合、車両に搭載された複数の無線タグの全てないし一部の無線タグをタッチする無線タグの識別番号の組み合わせで無線タグ認証用リスト１００を作成してもよい。
【産業上の利用可能性】
【００６３】
本発明の携帯端末および電子鍵装置は、携帯電話、スマートフォン等の携帯端末装置、及び、テレビ等の家庭用装置やカーオーディオ等の車載装置として有用である。
【符号の説明】
【００６４】
１０  電子鍵装置
２０  携帯端末
１１  第１近距離無線通信部
１２  第１タッチ順保存部
１３  第１制御部
１４  車両通知部
１５  パスワード入力部
１６  第１表示部
１７  データベース
２１  第２近距離無線通信部
２２  第２近距離無線通信制御部
２３  第２保存部
２４  第２制御部
２５  第２表示部
２６  音声出力部
１００  無線タグ認証用リスト
２００  無線タグタッチ順リスト
３０１〜３０４  無線タグ
【図１】
2014136910.tif 000003
【図２】
2014136910.tif 000004
【図３】
2014136910.tif 000005
【図４】
2014136910.tif 000006
【図５】
2014136910.tif 000007
【図６】
2014136910.tif 000008